(57)【要約】【課題】光源ユニットが携帯内視鏡本体から取り外されると光源の電源がオフ状態とする。【解決手段】内視鏡本体１１に光源ユニット１２を着脱自在とする。光源ユニット１２にピン２５を備えた検出スイッチ２４を設け、光源ユニット１２が内視鏡本体１１に装着されたときにピン２５を通して導通し光源２８のオン状態とする。光源ユニット１２が内視鏡本体１１から取り外されたときに、ピン２５を絶縁し電池１９からの電力供給を遮断し光源２８をオフ状態とする。【選択図】図１
2008043666.tif 000002
【特許請求の範囲】
【請求項１】
内視鏡本体と前記内視鏡本体に着脱自在な光源ユニットとを備える携帯内視鏡において、前記光源ユニットが前記内視鏡本体から取り外された状態において前記光源ユニットの光源をオフ状態とし、前記光源ユニットが前記内視鏡本体に取り付けられた状態において前記光源ユニットの光源をオン状態とするスイッチ機構であって、
前記スイッチ機構はピンを備え、前記光源ユニットが前記内視鏡本体に装着されたときに前記ピンが前記内視鏡本体に当接して前記光源がオン状態とされ、前記光源ユニットが前記内視鏡本体から取り外されたときに前記ピンが前記内視鏡本体から離接されて前記光源がオフ状態とされる
ことを特徴とする携帯内視鏡のスイッチ機構。
【請求項２】
前記ピンが導電性の素材から構成され、前記ピンが前記内視鏡本体に当接することにより前記ピンと前記内視鏡本体とが導通され、これにより前記光源がオン状態とされることを特徴とする請求項１に記載のスイッチ機構。
【請求項３】
前記ピンと前記内視鏡本体とが当接されたときに、前記光源ユニットの筐体および前記内視鏡本体の光源ユニット取付部を通して電流が流れることにより前記光源がオン状態とされることを特徴とする請求項２に記載のスイッチ機構。
【請求項４】
前記ピンがプッシュスイッチの操作ピンであることを特徴とする請求項１に記載のスイッチ機構。
【請求項５】
内視鏡本体と前記内視鏡本体に着脱自在な光源ユニットとを備える携帯内視鏡であって、
前記光源ユニットが前記内視鏡本体から取り外された状態において前記光源ユニットの光源をオフ状態とし、前記光源ユニットが前記内視鏡本体に取り付けられた状態において前記光源ユニットの光源をオン状態とするスイッチ機構を備え、
前記スイッチ機構はピンを備え、前記光源ユニットが前記内視鏡本体に装着されたときに前記ピンが前記内視鏡本体に当接して前記光源がオン状態とされ、前記光源ユニットが前記内視鏡本体から取り外されたときに前記ピンが前記内視鏡本体から離接されて前記光源がオフ状態とされる
ことを特徴とする携帯内視鏡。
【請求項６】
携帯内視鏡の内視鏡本体に着脱自在な光源ユニットであって、
前記光源ユニットは前記内視鏡本体から取り外された状態において前記光源ユニットの光源をオフ状態とし、前記光源ユニットが前記内視鏡本体に取り付けられた状態において前記光源ユニットの光源をオン状態とするスイッチ機構を備え、
前記スイッチ機構はピンを備え、前記光源ユニットが前記内視鏡本体に装着されたときに前記ピンが前記内視鏡本体に当接して前記光源がオン状態とされ、前記光源ユニットが前記内視鏡本体から取り外されたときに前記ピンが前記内視鏡本体から離接されて前記光源がオフ状態とされる
ことを特徴とする光源ユニット。
【発明の詳細な説明】
【技術分野】
【０００１】
本発明は、電池を用いる携帯内視鏡のスイッチ機構に関し、特に、携帯内視鏡の照明用光源の点灯に関わるスイッチの機構に関わる。
【背景技術】
【０００２】
一般的に携帯内視鏡では、内視鏡本体に着脱自在に光源ユニットが装着される。光源ユニットの電源には電池が用いられ、光源点灯のためのメインスイッチは光源ユニット本体に設けられる。光源ユニットが内視鏡本体に装着されると光源部は内視鏡本体内に嵌入され、光源が点灯されると光は内視鏡本体に配設されたライトガイドを通して携帯内視鏡の先端から照明光として照射される（特許文献１参照）。
【特許文献１】特開２００３−３１９９０６号公報
【発明の開示】
【発明が解決しようとする課題】
【０００３】
しかし、従来の構成であると、光源ユニットが携帯内視鏡本体から取り外された状態でも、メインスイッチがオン状態にあると光源は点灯するので電池は無駄に消耗する。特に携帯内視鏡の使用が終了し、光源ユニットを取り外して携帯内視鏡を収納する場合にメインスイッチを切り忘れると、電池の消耗は著しいものとなる。
【０００４】
本発明は、光源ユニットが携帯内視鏡本体から取り外されると光源の電源がオフ状態とされる携帯内視鏡のスイッチ機構、およびこのスイッチ機構を備えた携帯内視鏡用光源ユニット、携帯内視鏡を提供することを目的とする。
【課題を解決するための手段】
【０００５】
本発明の携帯内視鏡のスイッチ機構は、内視鏡本体と内視鏡本体に着脱自在な光源ユニットとを備える携帯内視鏡において、光源ユニットが内視鏡本体から取り外された状態において光源ユニットの光源をオフ状態とし、光源ユニットが内視鏡本体に取り付けられた状態において光源ユニットの光源をオン状態とするスイッチ機構であって、スイッチ機構はピンを備え、光源ユニットが内視鏡本体に装着されたときにピンが内視鏡本体に当接して光源がオン状態とされ、光源ユニットが内視鏡本体から取り外されたときにピンが内視鏡本体から離接されて光源がオフ状態とされることを特徴としている。
【０００６】
ピンは導電性の素材から構成され、ピンが内視鏡本体に当接することによりピンと内視鏡本体とが導通され、これにより光源がオン状態とされる。またピンと内視鏡本体とが当接されたときに、光源ユニットの筐体および内視鏡本体の光源ユニット取付部を通して電流が流れることにより前記光源がオン状態とされる。また、ピンは例えばプッシュスイッチの操作ピンである。
【０００７】
本発明の携帯内視鏡は、内視鏡本体と内視鏡本体に着脱自在な光源ユニットとを備える携帯内視鏡であって、光源ユニットが内視鏡本体から取り外された状態において光源ユニットの光源をオフ状態とし、光源ユニットが内視鏡本体に取り付けられた状態において光源ユニットの光源をオン状態とするスイッチ機構を備え、スイッチ機構はピンを備え、光源ユニットが内視鏡本体に装着されたときにピンが内視鏡本体に当接して光源がオン状態とされ、光源ユニットが内視鏡本体から取り外されたときにピンが内視鏡本体から離接されて光源がオフ状態とされることを特徴としている。
【０００８】
本発明の光源ユニットは、携帯内視鏡の内視鏡本体に着脱自在な光源ユニットであって、光源ユニットは内視鏡本体から取り外された状態において光源ユニットの光源をオフ状態とし、光源ユニットが内視鏡本体に取り付けられた状態において光源ユニットの光源をオン状態とするスイッチ機構を備え、スイッチ機構はピンを備え、光源ユニットが内視鏡本体に装着されたときにピンが内視鏡本体に当接して光源がオン状態とされ、光源ユニットが内視鏡本体から取り外されたときにピンが内視鏡本体から離接されて光源がオフ状態とされることを特徴としている。
【発明の効果】
【０００９】
本発明によれば、光源ユニットが携帯内視鏡本体から取り外されると光源の電源がオフ状態とされる携帯内視鏡のスイッチ機構、携帯内視鏡用光源ユニット、携帯内視鏡が得られる。
【発明を実施するための最良の形態】
【００１０】
以下、本発明の実施形態を、図面を参照して説明する。図１は、第１の実施形態における携帯内視鏡装置の構成を模式的に示すブロック図である。
【００１１】
携帯内視鏡１０は、内視鏡本体１１と光源ユニット１２とからなり、光源ユニット１２は内視鏡本体１１に着脱自在である。内視鏡本体１１内には、照明光を内視鏡先端にまで伝送するためのライトガイド１３と照明光により照明された内視鏡先端の映像を観察するためのイメージガイド１４が配設される。
【００１２】
ライトガイド１３の一端である入射端は、内視鏡本体１１の操作部に配置され、その前方にはレンズ１５が設けられる。装着された光源ユニット１２からの光は、レンズ１５を通してライトガイド１３の入射端に集光され入射される。ライトガイド１３の他端である射出端は、内視鏡挿入部の先端に配置され、入射された光はライトガイド１３内を伝搬されて他端である射出端からレンズ１６を通して照射される。
【００１３】
また、イメージガイド１４の一端は、内視鏡挿入部の先端に配置され、ライトガイド１３からの照明光は、観察対象物で反射され対物レンズ１７を通してイメージガイド１４に入射される。イメージガイド１４の他端は内視鏡本体の操作部に配置され、イメージガイド１４を通して伝送された光学像は、接眼レンズ１８を通して観察される。
【００１４】
内視鏡本体１１の操作部には、光源ユニット１２を装着するための光源ユニット取付部１１Ａが設けられる。光源ユニット取付部１１Ａは、例えば円筒形状を呈し、その外周部には雄ネジ１１Ｍが設けられる。また、光源ユニット取付部１１Ａの円筒中央には、円筒軸に沿った円筒形の窪部１１Ｒが形成され、その底面にレンズ１５が配置される。窪部１１Ｒには、後述するように光源ユニット１２の光源部１２Ｌが挿入される。
【００１５】
光源ユニット１２の筐体１２Ｃ内には、電源である電池１９が装填される。電池１９のプラス極は例えば接点２０に電気的に接続され、接点２０はメインスイッチ２１の一方の端子に接続される。また、メインスイッチ２１の他方の端子は光源用回路基板２２に接続される。一方、電池１９のマイナス極は例えば接点２３に電気的に接続され、接点２３は検出スイッチ２４に接続される。
【００１６】
検出スイッチ２４は、導電性の材料からなるピン２５と、ピン２５の周囲を取り囲む合成樹脂などからなる絶縁物材２６と、ピン２５に付勢力を与える付勢部材２７とから構成される。ピン２５の一端は光源ユニット１２の筐体１２Ｃ内に配置されるが、他端は筐体１２Ｃの外へ突出する。筐体１２Ｃは導電性材料から形成され、筐体１２Ｃとピン２５との間は絶縁部材２６により絶縁される。また、ピン２５は絶縁部材２６内において軸方向に摺動自在である。なお、ピン２５と絶縁部材２６の断面図を図２に示す。
【００１７】
ピン２５の先端はスプリングなどの付勢部材２７により光源ユニット１２の筐体１２Ｃの外部へと押し出されているが、その先端が付勢部材２７の付勢力に抗して押し戻されるとピン２５は筐体１２Ｃ内に向けて引っ込められる。なお、ピン２５の根本部には、ピン２５が筐体１２Ｃから抜け落ちないように図示しない係止機構が設けられる。またピン２５は接点２３と電気的に接続されるが、本実施形態では、付勢部材２７として導電性を有するコイルスプリングが用いられるため、コイルスプリング２７を介して電池１９のマイナス極と電気的に接続される。
【００１８】
光源用回路基板２２には、例えばＬＥＤなどの光源２８が取り付けられる。光源２８は、光源用回路基板２２に設けられた光源駆動回路によりその点灯が駆動制御され、光源２８から照射された光は照明用レンズ２９を介して射出される。また、光源用回路基板２２の光源駆動回路は、光源ユニット１２の筐体１２Ｃにアースされる。
【００１９】
光源ユニット１２の筐体１２Ｃには内視鏡取付部１２Ａが一体的に形成される。内視鏡取付部１２Ａは、光源ユニット１２を内視鏡本体１１へ取り付けるときに、光源ユニット取付部１１Ａに連結される連結部である。内視鏡取付部１２Ａは光源ユニット取付部１１Ａと同径の円筒形状を呈し、その外周面には雄ネジ１２Ｍが設けられ、雄ネジ１２Ｍには、その内周面に雌ネジが形成された回転リング部材１２Ｒが螺嵌される。
【００２０】
内視鏡取付部１２Ａの頂面の略中央には、光源２８および照明用レンズ２９が納められた円筒形の光源部１２Ｌが形成され、内視鏡取付部１２Ａの円筒軸に沿って延出する。また、内視鏡取付部１２Ａにおいて、内視鏡取付部１１Ａの外周面に螺嵌された回転リング１２Ｒに囲まれ、内視鏡取付部１２Ａの外周面と光源部１２Ｌの根本部とを連絡する内視鏡取付部１２Ａの頂面には、検出スイッチ２４が設けられる。検出スイッチ２４は、そのピン２５の軸が内視鏡取付部１２Ａの円筒軸に平行になるように配置され、ピン２５と筐体１２Ｃとの間は絶縁部材１６によって絶縁される。
【００２１】
光源ユニット１２を内視鏡本体１１へ取り付ける際には、光源部１２Ｌが光源ユニット取付部１１Ａの窪部１１Ｒに挿入されるとともに、回転リング１２Ｒの雌ネジが、手動回転操作により光源ユニット取付部１１Ａの雄ネジ１１Ｍに螺合される。すなわち、回転リング１２Ｒが回転されると、回転リング１２Ｒは内視鏡取付部１２Ａの雄ネジ１２Ｍから螺脱される方向に進むとともに、光源ユニット取付部１１Ａの雄ネジ１１Ｍに螺合され、光源ユニット１２の内視鏡本体１１への取り付けが完了する。なお内視鏡取付部１２Ａには、回転リング１２Ｒが完全に内視鏡取付部１２Ａから脱落しないように、図示しない係止機構が設けられている。
【００２２】
光源ユニット１２の光源部１２Ｌが、光源ユニット取付部１１Ａの窪部１１Ｒに挿入されると、内視鏡取付部１２Ａから突出する検出スイッチ２４のピン２５は、窪部１１Ｒを取り囲む光源ユニット１１Ａの頂面にピン２５の先端が当接し、ピン２５は筐体１２内に向けて押し込まれる。なお、このときの検出スイッチ２４の周囲の状態を図３に部分的な拡大図として示す。
【００２３】
光源ユニット取付部１１Ａ、雄ネジ１１Ｍ、回転リング１２Ｒ、雄ネジ１２Ｍ、内視鏡取付部１２Ａは、導電性の素材から形成され、内視鏡取付部１２Ａは筐体１２Ｃと一体的である。したがって、光源ユニット１２が内視鏡本体１１に装着されると、ピン２５は、光源ユニット取付部１１Ａの窪部１１Ｒを取り囲む頂面に接触するため、ピン２５は光源ユニット取付部１１Ａ、雄ネジ１１Ｍ、回転リング１２Ｒ、雄ネジ１２Ｍ、内視鏡取付部１２Ａを通して光源駆動回路のアースである光源ユニット１２の筐体１２Ｃと電気的に接続される。これにより、光源ユニット１２が内視鏡本体１１から装着された状態で、メインスイッチ２１がオン状態にされると、電池１９から光源駆動回路へと電力が供給され、光源２８が点灯される。
【００２４】
一方、光源ユニット１２が内視鏡本体１１から取り外されているときには、ピン２５は筐体１２Ｃから絶縁されているため、光源駆動回路は電池１９のマイナス極と電気的に絶縁されており、メインスイッチ２１をオン状態としても、光源用駆動回路に電力が供給されることはなく、光源２８が点灯されることはない。
【００２５】
以上のように、第１の実施形態によれば、光源ユニットが携帯内視鏡本体から取り外された状態では、光源の電源が常にオフ状態とされ、例えメインスイッチをオフし忘れたときでも、光源は消灯され、電池を無駄に消耗することが防止される。
【００２６】
次に図４、図５を参照して、本発明の第２の実施形態について説明する。図４は、第２の実施形態の構成を示す模式的なブロック図であり、図５は、検出スイッチ近傍の部分拡大模式図である。
【００２７】
第２の実施形態において、検出スイッチに関わる構成以外の構成は第１の実施形態と同様であるためその説明を省略する。また、第１の実施形態と同様の構成には同一参照符号を用いる。
【００２８】
第１の実施形態では、導電性のピン２５に電源の一方の極を接続するとともに筐体１２Ｃを光源駆動回路のアースとし、光源ユニット１２が内視鏡本体１１に装着されたときに、ピン２５を光源ユニット取付部１１Ａに接触させて、導電性の光源ユニット取付部１１Ａ、雄ネジ１１Ｍ、回転リング１２Ｒ、雄ネジ１２Ｍ、内視鏡取付部１２Ａ、筐体１２Ｃを通して検出スイッチがオンされる構成としたが、第２の実施形態では、検出スイッチとしてプッシュスイッチ３１を用いる。
【００２９】
すなわち、第２の実施形態では、光源用回路基板２２に光源駆動回路と電源である電池１９の何れか一方の極との間にプッシュスイッチ３１を接続する。第１の実施形態と同様に、プッシュスイッチ３１は、内視鏡取付部１２Ａにおける回転リング１２Ｒと光源部１２Ｌの間の頂面に設けられ、プッシュスイッチ３１の操作ピン３２は、その軸が内視鏡取付部１２Ａの円筒軸に沿って配置される。操作ピン３２の基端部は、スイッチ３３に連結され、操作ピン３２は外側に向けてバネなどの付勢手段により付勢される。
【００３０】
光源ユニット１２が内視鏡本体１１に取り付けられると、第１の実施形態のピン２５と同様に操作ピン３２の先端は、窪部１１Ｒを取り囲む光源ユニット取付部１１Ａの頂面と当接し、操作ピン３２は付勢力に抗して押し下げられる。これによりプッシュスイッチ３１のスイッチ３３がオン状態とされる。また、光源ユニット１２が内視鏡本体１１に取り外されると、操作ピン３２はバネの付勢力で押し出され、スイッチ３３がオフ状態とされる。これにより、電池１９から電源用駆動回路への電力の供給は停止される。
【００３１】
なお、図５に光源ユニット１２が内視鏡本体１１に取り付けられ、プッシュスイッチ３１がオンされた状態が模式的に示される。なお本図では、雄ネジ１１Ｍ、回転リング１２Ｒ、雄ネジ１２Ｍが省略されている。
【００３２】
以上のように、第２の実施形態においても、第１の実施形態と同様の効果を得ることができる。
【００３３】
なお、本実施形態では、１つのピンを用いた検出スイッチの構成のみ示したが、例えば、第１の実施形態の検出スイッチを２個設け、２つのピンが導電性を有する光源ユニット取付部１１Ａに接触することにより、２つのピンを導通させてスイッチのオン状態を実現する構成とすることも可能である。
【図面の簡単な説明】
【００３４】
【図１】第１の実施形態の携帯内視鏡の模式的なブロック図である。
【図２】ピンと絶縁部材の横断面図である。
【図３】第１の実施形態の検出スイッチがオン状態されたときの部分的な拡大図である。
【図４】第２の実施形態の携帯内視鏡の模式的なブロック図である。
【図５】第２の実施形態の検出スイッチがオン状態されたときの部分的な拡大図である。
【符号の説明】
【００３５】
１０、３０  携帯内視鏡
１１  内視鏡本体
１２  光源ユニット
１２Ｃ  筐体
２４  検出スイッチ
２５  導電性のピン
３１  検出スイッチ（プッシュスイッチ）
３２  ピン（操作ピン）
【図１】
2008043666.tif 000003
【図２】
2008043666.tif 000004
【図３】
2008043666.tif 000005
【図４】
2008043666.tif 000006
【図５】
2008043666.tif 000007